【手続補正書】
【提出日】平成16年12月1日(2004.12.1)
【手続補正１】
【補正対象書類名】明細書
【補正対象項目名】０００５
【補正方法】変更
【補正の内容】
【０００５】
トランジスタ６０２の出力信号の一部は、インダクタ６０５、マイクロストリップ線路６０８、および、インダクタ６０４を経由して、トランジスタ６０１の入力に帰還される。この際、マイクロストリップ線路６０８の長さＬは、帰還信号とトランジスタ６０１の出力信号との位相差が１８０度となるように調整される。このように歪み成分を含んだ出力信号の一部を反転して入力に帰還することにより、高周波帯域における歪み特性を改善することができる。
【手続補正２】
【補正対象書類名】明細書
【補正対象項目名】００４０
【補正方法】変更
【補正の内容】
【００４０】
図２（ｆ）は、図２（ｃ）に示す回路の通過位相特性図である。この図は、図２（ｄ）に示す特性と図２（ｅ）に示す特性とを加算して得られたものである。上述したように、入力信号の周波数が基本波の周波数ｆ0 から２次高調波の周波数２ｆ0 まで変化するとき、図２（ａ）に示す回路における通過位相は単調に減少し、図２（ｂ）に示す回路における通過位相は単調に増加する。したがって、インダクタ２０１、抵抗３０１、および、キャパシタ３０２の値をそれぞれ好適に選択することにより、図２（ｃ）に示す回路における通過位相を、図２（ｆ）に示すように、基本波の周波数ｆ0 と２次高調波の周波数２ｆ0 とを含む範囲において、略１８０度で一定にすることができる。
【手続補正３】
【補正対象書類名】明細書
【補正対象項目名】００５７
【補正方法】変更
【補正の内容】
【００５７】
このように図４に示す増幅装置は、増幅回路１５の通過位相をインダクタ２０１ａ、２０１ｂ、２０２で調整し、帰還回路３５の通過位相を抵抗３０１ａ、３０１ｂとキャパシタ３０２ａ、３０２ｂとで調整することにより、簡単な構成で、入力信号の基本波、３次相互変調波、および、２次高調波を入力に負帰還することができる。
【手続補正４】
【補正対象書類名】明細書
【補正対象項目名】００５８
【補正方法】変更
【補正の内容】
【００５８】
また、この増幅装置は、第２の実施形態に係る増幅装置と比較して、２次高調波成分を独立して調整するためのインダクタ２０２を備えている。したがって、簡単な構成で、入力信号の基本波、３次相互変調波、および、２次高調波の通過位相をそれぞれ独立して調節することができる。よって、例えば、雑音特性など他の高周波特性が最適となるようにインダクタ２０１ａ、２０１ｂの値を選択した上で、インダクタ２０２の値を選択することができる。
【手続補正５】
【補正対象書類名】明細書
【補正対象項目名】００６８
【補正方法】変更
【補正の内容】
【００６８】
図７に示す周波数変換装置では、入力端子Ｐ１は、ＤＣカットキャパシタ５０１を介してバイポーラトランジスタ１０１のベースに接続される。バイポーラトランジスタ１０１のコレクタは、バイポーラトランジスタ１０２のエミッタに接続される。バイポーラトランジスタ１０２のコレクタは、バイポーラトランジスタ４０１のエミッタと、バイポーラトランジスタ４０２のエミッタの両方に接続される。バイポーラトランジスタ４０１、４０２のコレクタは、それぞれ、ＤＣカットキャパシタ５０３ａ、５０３ｂを介して、出力端子Ｐ３＋、Ｐ３−に接続される。バイポーラトランジスタ１０１のエミッタは、増幅回路１０の位相調整用端子として機能し、インダクタ２０１を介して接地される。バイポーラトランジスタ１０１、１０２のベースには、それぞれ、バイアス回路１０４、１０５からベース電流が供給される。バイポーラトランジスタ４０１、４０２のベースには、いずれも、バイアス回路４０３からベース電流が供給される。
【手続補正６】
【補正対象書類名】明細書
【補正対象項目名】００７３
【補正方法】変更
【補正の内容】
【００７３】
このように図７に示す周波数変換装置は、増幅回路１０の通過位相をインダクタ２０１で調整し、帰還回路３０の通過位相を抵抗３０１とキャパシタ３０２とで調整することにより、簡単な構成で、入力信号の基本波、３次相互変調波、および、２次高調波を入力に負帰還することができる。また、この周波数変換装置は、従来の周波数変換装置と比較してストリップラインやスロットラインを使用していない。したがって、マイクロ波帯で使用するものであっても、容易に半導体集積回路に集積化することができる。また、従来の周波数変換装置では、周波数変換回路で発生したＬＯ信号の２次高調波が増幅回路の動作に悪影響を及ぼす。これに対し、図７に示す周波数変換装置では、位相制御回路２０を調整することにより、周波数変換回路４０で発生したＬＯ信号の２次高調波を、帰還回路３０および増幅回路１０を介して位相を１８０度反転させて、周波数変換回路４０に出力することができる。その結果、周波数変換回路４０で発生するＬＯ信号の２次高調波のレベルを低減することができる。
【手続補正７】
【補正対象書類名】明細書
【補正対象項目名】００７８
【補正方法】変更
【補正の内容】
【００７８】
図８に示す周波数変換装置では、入力端子Ｐ１＋、Ｐ１−は、それぞれ、ＤＣカットキャパシタ５０１ａ、５０１ｂを介して、バイポーラトランジスタ１０１ａ、１０１ｂのベースに接続される。バイポーラトランジスタ１０１ａ、１０１ｂのコレクタは、それぞれ、バイポーラトランジスタ１０２ａ、１０２ｂのエミッタに接続される。バイポーラトランジスタ１０２ａのコレクタは、バイポーラトランジスタ４０１ａのエミッタと、バイポーラトランジスタ４０２ａのエミッタの両方に接続される。バイポーラトランジスタ１０２ｂのコレクタは、バイポーラトランジスタ４０１ｂのエミッタと、バイポーラトランジスタ４０２ｂのエミッタの両方に接続される。バイポーラトランジスタ４０１ａ、４０１ｂのコレクタは接続点Ｒ１で接続され、バイポーラトランジスタ４０２ａ、４０２ｂのコレクタは接続点Ｒ２で接続され、接続点Ｒ１、Ｒ２は、それぞれ、ＤＣカットキャパシタ５０３ａ、５０３ｂを介して、出力端子Ｐ３＋、Ｐ３−に接続される。バイポーラトランジスタ１０１ａ、１０１ｂのエミッタは、増幅回路１５の位相調整用端子として機能し、それぞれ、インダクタ２０１ａ、２０１ｂの一端に接続される。インダクタ２０１ａ、２０１ｂの他端は接続され、その接続点Ｑ１は接地される。バイポーラトランジスタ１０１ａ、１０１ｂのベースには、いずれもバイアス回路１０４からベース電流が供給される。バイポーラトランジスタ１０２ａ、１０２ｂのベースには、いずれもバイアス回路１０５からベース電流が供給される。バイポーラトランジスタ４０１ａ、４０１ｂ、４０２ａ、４０２ｂのベースには、いずれもバイアス回路４０３からベース電流が供給される。
【手続補正８】
【補正対象書類名】明細書
【補正対象項目名】００９０
【補正方法】変更
【補正の内容】
【００９０】
また、各実施形態で示したカスコード形式の増幅回路１０、１５に代えて、他の構成を有する増幅回路を用いてもよい。例えば、シングル形式の増幅回路（図１２を参照）を用いてもよい。図１２に示す増幅装置において、増幅回路１１はバイポーラトランジスタ１０１およびバイアス回路１０４を備えており、バイポーラトランジスタ１０１のコレクタは、ＤＣカットキャパシタ５０３を介して、出力端子Ｐ２に接続される。上記以外の点は、第１の実施形態に係る増幅装置と同じである。このようなシングル形式の増幅回路を用いることにより、雑音特性の良い増幅装置を実現することができる。シングル形式の増幅回路を他の実施形態に係る装置に用いる場合も同様である。
【手続補正９】
【補正対象書類名】図面
【補正対象項目名】図１５
【補正方法】変更
【補正の内容】
【図１５】
2003289226.tif 000001
【手続補正１０】
【補正対象書類名】図面
【補正対象項目名】図１６
【補正方法】変更
【補正の内容】
【図１６】
2003289226.tif 000002